(57)【要約】【課題】セパレータを積み重ねる前に、透湿膜とセパレータとをユニット化することができる燃料電池用加湿器の製造方法の提供を目的とする。【解決手段】セパレータ２０と透湿膜２３とを交互に積み重ねて形成され、燃料電池１１から導出される湿潤ガスからの水分が透湿膜２３を通って燃料電池１１へ導入される乾燥ガスを加湿する燃料電池用加湿器１０の製造方法であって、セパレータ２０の一方の面２０ａに透湿膜２３を設け、セパレータ２０の一方の面２０ａに乾燥ガスまたは湿潤ガスが外部に流出するのを防止するシール部材４０を設けることにより、セパレータ２０の一方の面２０ａに透湿膜２３およびシール部材４０を一体的に設けたセパレータユニット２０ｕを形成する。【選択図】  図７
2019175757.tif 000002
【特許請求の範囲】
【請求項１】
平板状のセパレータと透湿膜とを交互に積み重ねて形成され、前記透湿膜の一方の面に当接する前記セパレータの当接面に燃料電池に導入される乾燥ガスが流れる乾燥ガス流路が形成され、前記透湿膜の他方の面に当接する前記セパレータの当接面に前記乾燥ガスと比較して湿度の高くて前記燃料電池から導出される湿潤ガスが流れる湿潤ガス流路が形成され、前記湿潤ガス流路の湿潤ガスからの水分が前記透湿膜を通って前記乾燥ガス流路の乾燥ガスを加湿する燃料電池用加湿器の製造方法であって、
前記セパレータの一方の面に前記透湿膜を設け、前記セパレータの一方の面に前記乾燥ガスまたは前記湿潤ガスが外部に流出するのを防止するシール部材を設けることにより、前記セパレータの前記一方の面に前記透湿膜および前記シール部材を一体的に設けたセパレータユニットを形成し、
前記セパレータユニットの一方の面に前記セパレータユニットの他方の面を当接させて、前記セパレータユニットを積み重ねることにより形成される燃料電池用加湿器の製造方法。
【請求項２】
前記セパレータユニットの前記一方の面と前記セパレータユニットの前記他方の面とに、前記セパレータユニットを積み重ねる際の位置決めができる対の位置決めガイド部材を設けて、前記セパレータユニットを積み重ねる請求項１に記載の燃料電池用加湿器の製造方法。
【請求項３】
前記位置決めガイド部材を前記シール部材に形成する請求項２に記載の燃料電池用加湿器の製造方法。
【請求項４】
前記セパレータユニットの前記一方の面に前記乾燥ガス流路が形成され、前記シール部材に前記乾燥ガス流路へ前記湿潤ガスが流出するのを防止する隔壁部が形成される請求項１乃至３のいずれか１項に記載の燃料電池用加湿器の製造方法。
【請求項５】
前記セパレータユニットの前記他方の面に前記乾燥ガスまたは前記湿潤ガスが外部に流出するのを防止するシール枠を設ける請求項１乃至４のいずれか１項に記載の燃料電池用加湿器の製造方法。
【請求項６】
前記シール枠に、前記湿潤ガス流路へ前記湿潤ガスが流出するのを防止する隔壁部が形成される請求項５に記載の燃料電池用加湿器の製造方法。
【発明の詳細な説明】
【技術分野】
【０００１】
本発明は、燃料電池から導出される湿潤ガスから透湿膜を介して伝達される水分により、燃料電池に導入される乾燥ガスを加湿する燃料電池用加湿器の製造方法に関する。
【背景技術】
【０００２】
従来の加湿器は、射出成形あるいはホットプレス等により樹脂が充填された透湿膜と、乾燥ガスが流れる乾燥ガス流路が透湿膜の片方の面に面するように設けられる乾燥ガスセパレータと、湿潤ガスが流れる湿潤ガス流路が透湿膜の他方の面に面するように設けられる湿潤ガスセパレータと、を有する。そして、個々の透湿膜と、乾燥ガスセパレータと、湿潤ガスセパレータとを、乾燥ガスセパレータ、透湿膜、湿潤ガスセパレータ、透湿膜の順に必要な枚数積み重ね合わせた後、これらをホットプレスする。このホットプレスにより、透湿膜に充填されている樹脂が再溶融して、透湿膜に乾燥ガスセパレータと湿潤ガスセパレータが両側からシール部に対応する位置で接着される。この様に、透湿膜は、乾燥ガスセパレータ、湿潤ガスセパレータに積み重ねた後に、初めて、乾燥ガスセパレータ、湿潤ガスセパレータと一体化される。（例えば、特許文献１参照）。
【先行技術文献】
【特許文献】
【０００３】
【特許文献１】特開２００６−１５６０９９号公報
【発明の概要】
【発明が解決しようとする課題】
【０００４】
個々の透湿膜は、乾燥ガスセパレータと、湿潤ガスセパレータと積み重ねた状態にて、初めて、乾燥ガスセパレータと、湿潤ガスセパレータと一体化されるため、個々の透湿膜の取扱いは煩わしいものであった。そこで、セパレータを積み重ねる前に、透湿膜とセパレータとをユニット化することが望まれている。
【０００５】
そこで、本発明は、セパレータを積み重ねる前に、透湿膜とセパレータとをユニット化することができる燃料電池用加湿器の製造方法の提供を目的とする。
【課題を解決するための手段】
【０００６】
上記課題を解決するために、本発明に係る燃料電池用加湿器の製造方法は、平板状のセパレータと透湿膜とを交互に積み重ねて形成され、前記透湿膜の一方の面に当接する前記セパレータの当接面に燃料電池に導入される乾燥ガスが流れる乾燥ガス流路が形成され、前記透湿膜の他方の面に当接する前記セパレータの当接面に前記乾燥ガスと比較して湿度の高くて前記燃料電池から導出される湿潤ガスが流れる湿潤ガス流路が形成され、前記湿潤ガス流路の湿潤ガスからの水分が前記透湿膜を通って前記乾燥ガス流路の乾燥ガスを加湿する燃料電池用加湿器の製造方法であって、前記セパレータの一方の面に前記透湿膜を設け、前記セパレータの一方の面に前記乾燥ガスまたは前記湿潤ガスが外部に流出するのを防止するシール部材を設けることにより、前記セパレータの前記一方の面に前記透湿膜および前記シール部材を一体的に設けたセパレータユニットを形成し、前記セパレータユニットの一方の面に前記セパレータユニットの他方の面を当接させて、前記セパレータユニットを積み重ねることにより形成されることを要旨とする。
【発明の効果】
【０００７】
本発明に係る燃料電池用加湿器の製造方法によれば、セパレータの一方の面に透湿膜を設け、セパレータの一方の面に乾燥ガスまたは湿潤ガスが外部に流出するのを防止するシール部材を設けることにより、セパレータの一方の面に透湿膜およびシール部材を一体的に設けたセパレータユニットを形成する。これにより、セパレータを積み重ねる前に、透湿膜とセパレータとが一体化されたセパレータユニットを構成できる。従って、セパレータを積み重ねる前に、透湿膜とセパレータとをユニット化することができる。
【図面の簡単な説明】
【０００８】
【図１】本発明の一実施形態における燃料電池用加湿器を示す概略図である。
【図２】燃料電池用加湿器を模式的に示す斜視図である。
【図３Ａ】セパレータの正面図である。
【図３Ｂ】セパレータの背面図である。
【図３Ｃ】図３ＡのＡ−Ａ線断面図である。
【図４Ａ】シール枠を設けたセパレータの背面図である。
【図４Ｂ】図４ＡのＢ−Ｂ線断面図である。
【図５Ａ】透湿膜を仮留めしたセパレータの正面図である。
【図５Ｂ】図５ＡのＣ−Ｃ線断面図である。
【図６Ａ】セパレータユニットの正面図である。
【図６Ｂ】図６ＡのＤ−Ｄ線断面図である。
【図７】図６Ｂに示すセパレータユニットを積み重ねた状態を説明する図である。
【図８】位置決めガイド部材を設けたセパレータユニットの正面図である。
【図９】位置決めガイド部材を設けたセパレータユニットの背面図である。
【図１０】図８のＥ−Ｅ線断面図である。
【図１１】図１０に示すセパレータユニットを積層した状態を示す断面図である。
【図１２】セパレータユニットの別の例を示す図４Ｂと同様な断面図である。
【発明を実施するための形態】
【０００９】
本発明に係る燃料電池用加湿器の製造方法の一実施形態について、以下、図面に基づいて説明する。
【００１０】
燃料電池用加湿器１０は、図1に示す如く、燃料電池１１に導入されるカソードガス（反応ガス）を加湿する。カソードガスは、大気をコンプレッサ１２により取り込みした空気であり乾燥ガスである。燃料電池用加湿器１０は、燃料電池１１に導入する乾燥ガスを、燃料電池１１から導出される湿潤ガスからの水分が透湿膜（後述する）を通って乾燥ガスを加湿する。燃料電池１１から導出される湿潤ガスは、乾燥ガスと比較して湿度の高いガスである。透湿膜は、水分子を透過しガスを透過しないイオン交換樹脂膜、電解質膜等が利用可能である。
【００１１】
燃料電池用加湿器１０は、図２に示す如く、複数のセパレータ２０を積み重ねて形成したセパレータ群２０ｇを積み重ねて積層方向（矢印Ｘ方向）に第一端プレート２１および第二端プレート２２で挟んで形成されている。
【００１２】
第一端プレート２１は、乾燥ガスが流入する乾燥ガス入口２１ａと、湿潤ガスを流出させる湿潤ガス出口２１ｂとを有する。第二端プレート２２は、乾燥ガスが燃料電池１１に向けて流出する乾燥ガス出口２２ａと、燃料電池１１から導出された湿潤ガスが流入する湿潤ガス入口２２ｂとを有する。
【００１３】
一つのセパレータ２０の一方の面２０ａには、乾燥ガスが流れる乾燥ガス流路２４が形成され、その一つのセパレータ２０の他方の面２０ｂには湿潤ガスが流れる湿潤ガス流路２５が形成される。即ち、乾燥ガス流路２４と湿潤ガス流路２５は、各セパレータ２０の表裏に設けられる。
【００１４】
セパレータ２０は、乾燥ガス流路２４に連通する乾燥ガス導入孔２６と、乾燥ガス流路２４に連通する乾燥ガス導出孔２７と、湿潤ガス流路２５に連通する湿潤ガス導入孔２８と、湿潤ガス流路２５に連通する湿潤ガス導出孔２９とを、セパレータ２０の厚み方向に貫通させて形成している。透湿膜２３は隣接するセパレータ２０に挟まれる構成であり、透湿膜２３の一方の面２３ａに乾燥ガス流路２４が構成され、透湿膜２３の他方の面２３ｂに湿潤ガス流路２５が形成される（図７及び図１１に示す）。
【００１５】
複数のセパレータ２０が積み重ねて形成されたセパレータ群２０ｇにおいて、各セパレータ２０の乾燥ガス導入孔２６は、セパレータ２０の積層方向（矢印Ｘ方向）に重ねられて連通するガスマニホールド２６ｘを形成している。各セパレータ２０の乾燥ガス導出孔２７は、積層方向（矢印Ｘ方向）に重ねられて連通するガスマニホールド２７ｘを形成している。
【００１６】
各セパレータ２０の湿潤ガス導入孔２８は、積層方向（矢印Ｘ方向）に重ねられて連通するガスマニホールド２８ｘを形成している。各セパレータ２０の湿潤ガス導出孔２９は、積層方向（矢印Ｘ方向）に重ねられて連通するガスマニホールド２９ｘを形成している。
【００１７】
ガスマニホールド２６ｘは、乾燥ガス入口２１ａと接続され、ガスマニホールド２７ｘは、乾燥ガス出口２２ａと接続され、ガスマニホールド２８ｘは、湿潤ガス入口２２ｂと接続され、ガスマニホールド２９ｘは、湿潤ガス出口２１ｂと接続される。
【００１８】
図３Ａは、乾燥ガス流路２４が形成されるセパレータ２０の一方の面２０ａを示す。図３Ａに示すように、セパレータ２０は、平板状をなしており、その互いに対向する対角隅部に、乾燥ガス導入孔２６および乾燥ガス導出孔２７が、乾燥ガス流路２４に連通しつつ、セパレータ２０の厚み方向に貫通するように形成されている。セパレータ２０は、例えば、ＳＵＳ（ステンレス鋼）等で形成されている。
【００１９】
乾燥ガス流路２４には、乾燥ガス導入孔２６から乾燥ガス導出孔２７に向けて乾燥ガスを拡散しながら案内する複数のフィン３０が形成されている。複数のフィン３０に、透湿膜２３が、図５Ａに示す如く取り付けられる。セパレータ２０は、湿潤ガス導入孔２８が乾燥ガス流路２４に連通しないように、周知のシール構造を備える。セパレータ２０は、同様に湿潤ガス導出孔２９が乾燥ガス流路２４に連通しないように、周知のシール構造を備える。
【００２０】
従って、乾燥ガスは、乾燥ガス導入孔２６から乾燥ガス流路２４に至る。更に乾燥ガスは、乾燥ガス流路２４において後述する透湿膜２３により加湿されつつ、乾燥ガス導出孔２７に向けて流れ、乾燥ガス導出孔２７に導出される。なお、セパレータ２０の一方の面２０ａには、図３Ｃに示す如く、透湿膜２３及びシール部材４０（後述する）が取付けられる取付け部４１が設けられている。
【００２１】
図３Ｂは、湿潤ガス流路２５が形成されるセパレータ２０の他方の面２０ｂを示す。図３Ｂに示すように、平板状のセパレータ２０において、その互いに対向する対角隅部に、湿潤ガス導入孔２８および湿潤ガス導出孔２９が、湿潤ガス流路２５に連通しつつ、セパレータ２０の厚み方向に貫通するように形成されている。
【００２２】
湿潤ガス流路２５には、湿潤ガス導入孔２８から湿潤ガス導出孔２９に向けて湿潤ガスを拡散しながら案内する複数のフィン３１が形成されている。セパレータ２０は、乾燥ガス導入孔２６が湿潤ガス流路２５に連通しないように、周知のシール構造を備える。セパレータ２０は、同様に乾燥ガス導出孔２７が湿潤ガス流路２５に連通しないように、周知のシール構造を備える。
【００２３】
従って、湿潤ガスは、湿潤ガス導入孔２８から湿潤ガス流路２５に至る。更に湿潤ガスは、湿潤ガス流路２５において透湿膜２３により吸湿されつつ、湿潤ガス導出孔２９に向けて流れ、湿潤ガス導出孔２９に導出される。
【００２４】
セパレータ２０の他方の面２０ａには必要に応じて、図３Ｃに示す如く、シール枠５０（後述する）が取付けられる取付け部５１が設けられている。なお、シール枠５０は、必要に応じて、セパレータ２０の他方の面２０ｂにおけるシール性能を確保するものである。従って、セパレータ２０の他方の面２０ｂにおけるシール性能を確保できる場合には、シール枠５０、取付け部５１を設ける必要はないものである。
【００２５】
この様なセパレータ２０からセパレータユニット２０ｕを形成する燃料電池用加湿器１０の製造方法について、以下説明する。セパレータ２０は、必要に応じて、図４Ａに示す如く、セパレータ２０の他方の面２０ｂに、シール枠５０を設け、シール枠５０は、図４Ｂに示す如く、取付け部５１に嵌る構造である。シール枠５０は、シール性を確保するためのものであり、例えば、材料として、ＰＰＳ（ポリフェニレンサルファイド）等の樹脂が利用でき、熱圧着等にて、取付け部５１に嵌めて設けることができる。
【００２６】
シール枠５０は、図４Ａに示す如く。外壁部５０ａ、隔壁部５０ｂ及び隔壁部５０ｃを有する。外壁部５０ａは、セパレータ２０の他方の面２０ｂの外縁全周に沿って設けられ、湿潤ガス流路２５を流れる湿潤ガスが外部に流出するのを防止する。隔壁部５０ｂは、乾燥ガス導入孔２６の周囲を囲む様に設けられて、乾燥ガス導入孔２６から乾燥ガスが湿潤ガス流路２５に流出するのを防止する。隔壁部５０ｃは、乾燥ガス導出孔２７の周囲を囲む様に設けられて、乾燥ガス導出孔２７から乾燥ガスが湿潤ガス流路２５に流出するのを防止する。
【００２７】
次に、図５Ａに示す如く、セパレータ２０の一方の面２０ａに、透湿膜２３を配置する。透湿膜２３は、図５Ａに示す如く、セパレータ２０の一方の面積よりも小さい面積を有し、図５Ｂに示す如く、複数のフィン３０上の取付け部４１に、配置される。透湿膜２３は、取付け部４１に仮留めする。なお、透湿膜２３は、仮留めに代えて、熱圧着等により、セパレータ２０即ち複数のフィン３０と一体化してもよい。
【００２８】
次に、図６Ａに示す如く、シール部材４０を、セパレータ２０の一方の面２０ａの取り付け部４１に取り付ける。シール部材４０の取付け部４１への取付けは、射出成形、熱圧着等にて行なうことができる。
【００２９】
シール部材４０は、例えばフッ素ゴムが用いられ、外壁部４０ａ、隔壁部４０ｂ、隔壁部４０ｃ及ぶ接合部４０ｄを有する。外壁部４０ａは、セパレータ２０の一方の面２０ａの外縁全周に沿って設けられ、乾燥ガス流路２４を流れる乾燥ガスが外部に流出するのを防止する。隔壁部４０ｂは、湿潤ガス導入孔２８の周囲を囲む様に設けられて、湿潤ガス導入孔２８から湿潤ガスが乾燥ガス流路２４に流出するのを防止する。隔壁部４０ｃは、湿潤ガス導出孔２９の周囲を囲む様に設けられて、湿潤ガス導出孔２９から湿潤ガスが乾燥ガス流路２４に流出するのを防止する。
【００３０】
シール部材４０の接合部４０ｄは、図６Ｂに示す如く、透湿膜２３をセパレータ２０の一方の面２０ａに具体的には複数のフィン３０に接合する。この様に、図６Ａ及び図６Ｂに示す如く、シール部材４０を設けたことにより、セパレータ２０の一方の面２０ａに透湿膜２３及びシール部材４０を一体的に設けたセパレータユニット２０ｕを形成することができる。
【００３１】
次に、図７に示す如く、セパレータユニット２０ｕの一方の面２０ｕａに別のセパレータユニット２０ｕの他方の面２０ｕｂを当接させて、セパレータユニット２０ｕを積み重ねてセパレータユニット群２０ｕｇを形成して、燃料電池用加湿器１０を形成することができる。
【００３２】
図７に示す如く、セパレータユニット群２０ｕｇにおいて、平板状のセパレータ２０と透湿膜２３とを交互に積み重ねて、透湿膜２３の一方の面２３ａに当接するセパレータ２０の当接面（一方の面２０ａが相当する）に燃料電池１１に導入される乾燥ガスが流れる乾燥ガス流路２４が形成される。
【００３３】
透湿膜２３の他方の面２３ｂに当接するセパレータ２０の当接面（他方の面２０ｂが相当する）に乾燥ガスと比較して湿度の高くて燃料電池１１から導出される湿潤ガスが流れる湿潤ガス流路２５が形成される。これにより、湿潤ガス流路２５の湿潤ガスからの水分が透湿膜２３を通って乾燥ガス流路２４の乾燥ガスを加湿する燃料電池用加湿器１０を形成することができる。
【００３４】
セパレータユニット２０ｕの一方の面２０ｕａに別のセパレータユニット２０ｕの他方の面２０ｕｂを当接させて、セパレータユニット２０ｕを積み重ねる際に、セパレータユニット２０ｕ相互の位置決めができる例を、図８乃至図１１に基づいて説明する。互いに嵌合する対の位置決めガイド部材６０をガイド突起６０ａとガイド穴６０ｂにて構成する。
【００３５】
ガイド突起６０ａは、図８及び図１０に示す如く、例えば、セパレータユニット２０ｕの一方の面２０ｕａ具体的にはシール部材４０に、二個設けられる。ガイド穴６０ｂは、図９及び図１０に示す如く、セパレータユニット２０ｕの他方の面２０ｕｂ具体的にはシール枠５０に、二個設けられる。ガイド突起６０ａは、シール部材４０と同様な方法により形成することができる。また、ガイド穴６０ｂは、シール枠５０の形成と同様な方法により形成することができる。なお、位置決めガイド部材６０は、ガイド突起６０ａをセパレータユニット２０ｕの他方の面２０ｕｂに設け、ガイド穴６０ｂをセパレータユニット２０ｕの一方の面２０ｕａに設けることも可能である。
【００３６】
位置決めガイド部材６０が設けられたセパレータユニット２０ｕは、図１１に示す如く、ガイド突起６０ａを対象のセパレータユニット２０ｕのガイド穴６０ｂに嵌めてセパレータユニット２０ｕ相互の位置決めを行なわれる。位置決めガイド部材６０にて位置決めされるセパレータユニット２０ｕは、その積み重ねを精度よく行なうことができ、セパレータユニット群２０ｕｇの形勢が容易となる。
【００３７】
次に、シール枠５０を備えないセパレータユニット２０ｕに、前述の位置決めガイド部材６０と同様な位置決めガイド部材６１を形成する例を、図１２に基づいて説明する。位置決めガイド部材６１は、位置決めガイド部材６０と同様に、ガイド突起６１ａとガイド穴６１ｂにて構成する。ガイド突起６１ａは、ガイド突起６０ａと同様に、シール部材４０に二個設けられる。ガイド穴６１ｂは、図１２に示す如く、セパレータユニット２０ｕの他方の面２０ｕｂに二個設けられる。ガイド突起６１ａは、シール部材４０と同様な方法により形成することができる。また、ガイド穴６１ｂは、セパレータ２０の形成と同様な方法により形成することができる。位置決めガイド部材６１の作用は、位置決めガイド部材６０と同様である。
【００３８】
なお、セパレータ２０の一方の面２０ａに、透湿膜２３とシール部材４０を設けて、乾燥ガス流路２４が形成された例を説明したが、これに代えて、透湿膜２３とシール部材４０を設けたセパレータ２０の一方の面２０ａに湿潤ガス流路２５を設けることも可能である。
【００３９】
セパレータ２０にＳＵＳ（ステンレス鋼）を使用した例を説明したが、これに限らず、樹脂例えば、ＰＰＳ（ポリフェニレンサルファイド）、ＰＰＡ（ポリフタルアミド）、ＰＥＮ（ポリエチレンナフタレート）、ＰＥＳ（ポリエーテルサルフォン）、ＬＣＰ（リキッドクリスタルポリマー）、ＰＶＤＦ（ポリフッ化ビニリデン）、シリコーンゴム、フッ素ゴム又はＥＰＤＭ（エチレンプロピレンゴム）等も使用可能である。また、シール枠５０は、ＰＰＳの例を説明したが、セパレータ２０と同様に、上記の樹脂を使用可能である。
【００４０】
また、セパレータ２０は、ＳＵＳの他、金属例えば、アルミニウム、チタン等が使用可能であり、樹脂や金属材料以外にも、炭素材料、炭素―樹脂複合材料等も使用可能である。
【００４１】
シール部材４０としてフッ素ゴムを使用した例を説明したが、その他、シリコーンゴム、ＥＰＤＭ、ＮＢＲ、フロロシリコーンゴム、ブチルゴム、天然ゴム、スチレンゴム、クロロプレーン又はアクリルゴム等のシール材、クッション材、あるいはパッキン材が用いられる。
【００４２】
上述のように、本発明の実施形態による燃料電池用加湿器の製造方法によれば、平板状のセパレータ２０と透湿膜２３とを交互に積み重ねて形成され、透湿膜２３の一方の面２３ａに当接するセパレータ２０の当接面（一方の面２０ａ）に燃料電池１１に導入される乾燥ガスが流れる乾燥ガス流路２４が形成され、透湿膜２３の他方の面２３ｂに当接するセパレータ２０の当接面（他方の面２０ｂ）に乾燥ガスと比較して湿度の高くて燃料電池１１から導出される湿潤ガスが流れる湿潤ガス流路２５が形成され、湿潤ガス流路２５の湿潤ガスからの水分が透湿膜２３を通って乾燥ガス流路２４の乾燥ガスを加湿する燃料電池用加湿器１０の製造方法であって、セパレータ２０の一方の面２０ａに透湿膜２３を設け、セパレータ２０の一方の面２０ａに乾燥ガスまたは湿潤ガスが外部に流出するのを防止するシール部材４０を設けることにより、セパレータ２０の一方の面２０ａに透湿膜２３およびシール部材４０を一体的に設けたセパレータユニット２０ｕを形成し、セパレータユニット２０ｕの一方の面２０ｕａにセパレータユニット２０ｕの他方の面２０ｕｂを当接させて、セパレータユニット２０ｕを積み重ねることにより形成される。する。これにより、セパレータ２０の一方の面２０ａに透湿膜２３を設け、セパレータ２０の一方の面２０ａに乾燥ガスまたは湿潤ガスが外部に流出するのを防止するシール部材４０を設けることにより、セパレータ２０の一方の面２０ａに透湿膜２３およびシール部材４０を一体的に設けたセパレータユニット２０ｕを形成できる。従って、セパレータ２０を積み重ねる前に、透湿膜２３とセパレータ２０とが一体化されたセパレータユニット２０ｕを構成できる。従って、セパレータ２０を積み重ねる前に、透湿膜２３とセパレータ２０とをユニット化することができる。
【００４３】
上述のように、本発明の実施形態による燃料電池用加湿器の製造方法によれば、セパレータユニット２０ｕの一方の面２０ｕａとセパレータユニット２０ｕの他方の面２０ｕｂとに、セパレータユニット２０ｕを積み重ねる際の位置決めができる対の位置決めガイド部材６０を設けて、セパレータユニット２０ｕを積み重ねる。これにより、セパレータユニット２０ｕ相互の位置決めを行なうことができるため、セパレータユニット２０ｕは、その積み重ねを精度よく行なうことができ、セパレータユニット群２０ｕｇの形勢が容易となる。
【００４４】
上述のように、本発明の実施形態による燃料電池用加湿器の製造方法によれば、位置決めガイド部材６０、６１をシール部材４０に形成する。これにより、位置決めガイド部材６０、６１はシール部材４０を利用して設けることができる。
【００４５】
上述のように、本発明の実施形態による燃料電池用加湿器の製造方法によれば、セパレータユニット２０ｕの一方の面２０ｕａに乾燥ガス流路２４が形成され、シール部材４０に乾燥ガス流路２４へ湿潤ガスが流出するのを防止する隔壁部４０ｂ、４０ｃが形成される。隔壁部４０ｂ、４０ｃにより、乾燥ガス流路２４への湿潤ガスの流入の防止を高めることができ、燃料電池１１へ不純物が混入するのを防止できる。
【００４６】
上述のように、本発明の実施形態による燃料電池用加湿器の製造方法によれば、セパレータユニット２０ｕの他方の面２０ｕｂに乾燥ガスまたは湿潤ガスが外部に流出するのを防止するシール枠５０を設ける。これにより、セパレータユニット２０ｕの他方の面２０ｕｂから、乾燥ガスまたは湿潤ガスが外部に流出するのを確実に防止できる。
【００４７】
上述のように、本発明の実施形態による燃料電池用加湿器の製造方法によれば、シール枠５０に、湿潤ガス流路２５へ乾燥ガスが流出するのを防止する隔壁部５０ｂ、５０ｃが形成される。これにより、湿潤ガス流路２５へ乾燥ガスが流出するのを確実に防止できる。
【００４８】
なお、複数の実施の形態が存在する場合、特に記載がある場合を除き、各々の実施の形態の特徴部分を適宜組合せることが可能であることは、明らかである。
【符号の説明】
【００４９】
１０…燃料電池用加湿器  １１…燃料電池  ２０…セパレータ  ２０ｕ…セパレータユニット  ２３…透湿膜  ２４…乾燥ガス流路  ２５…湿潤ガス流路  ４０…シール部材  ４０ｂ、４０ｃ…隔壁部  ５０…シール枠  ５０ｂ、５０ｃ…隔壁部  ６０、６１…位置決めガイド部材。
【図１】
2019175757.tif 000003
【図２】
2019175757.tif 000004
【図３Ａ】
2019175757.tif 000005
【図３Ｂ】
2019175757.tif 000006
【図３Ｃ】
2019175757.tif 000007
【図４Ａ】
2019175757.tif 000008
【図４Ｂ】
2019175757.tif 000009
【図５Ａ】
2019175757.tif 000010
【図５Ｂ】
2019175757.tif 000011
【図６Ａ】
2019175757.tif 000012
【図６Ｂ】
2019175757.tif 000013
【図７】
2019175757.tif 000014
【図８】
2019175757.tif 000015
【図９】
2019175757.tif 000016
【図１０】
2019175757.tif 000017
【図１１】
2019175757.tif 000018
【図１２】
2019175757.tif 000019